(57)【要約】【課題】破魔矢、絵馬を、直接飾り台に載せて飾るため、長い期間飾る間に埃で汚れたり、広い飾り場所が必要になる等の不具合を解消する。【解決手段】神社に参拝する際に購入する記念用飾り置物であって、透明樹脂製のひし形形状の立体物の中に図柄４が施された絵馬形状のレリーフ５が封じ込められた本体２と底面６が正方形からなる略台形型で、その上面７の中央に本体２の下端２１が挿入されて本体２を載置させるための窪み８を形成した台座３とをセットにして構成し、各辺が等辺からなる正方形のひし形形状で、台座の上面と略同じ大きさである本体２を台座３に立設して載置する。【選択図】図３
0003127001.tif 000002
【実用新案登録請求の範囲】
【請求項１】
神社に参拝する際に購入する記念用飾り置物であって、透明樹脂製のひし形形状の立体物の中に図柄が施された絵馬形状のレリーフが封じ込められた本体と、この本体を立設して載置させる台座とをセットにして構成することを特徴とする記念用飾り置物。
【請求項２】
前記台座は、底面が正方形からなる略台形型で、その上面の中央に前記本体の下端が挿入されて前記本体を載置させるための窪みを形成したことを特徴とする請求項１に記載の記念用飾り置物。
【請求項３】
前記本体は、各辺が等辺からなる正方形のひし形形状で、前記台座の上面と略同じ大きさであることを特徴とする請求項２に記載の記念用飾り置物。
【考案の詳細な説明】
【技術分野】
【０００１】
本考案は、初詣や記念行事等で神社に参拝する際に購入する記念用飾り置物に関する。
【背景技術】
【０００２】
初詣や神宮式年遷宮、遷宮百年記念等の記念行事で神社に参拝する際に購入する記念品として、干支置物、破魔矢、絵馬、御神盃等が知られている。
【０００３】
一般に、絵馬は、馬の絵が描かれた額に、入学試験の合格祈願、恋愛成就祈願、健康祈願、商売繁盛祈願、航海安全祈願等の祈願やそれらが達成されたときの報謝の言葉を書き入れ、社寺に奉納するものである。
【０００４】
ところが、近年では、白蛇などの縁起物の動物や、祭りの風景など馬とは関係ない絵馬が多く作られ、神社、寺院毎の縁起物として珍重されている。また、神社、寺院巡りをした際のお守りとしても持て囃され、自宅に持ち帰る様になった。
【０００５】
これらの購入した破魔矢、絵馬を自宅に飾るには、壁に止め釘等を打って引っ掛けるか、ぶら下げていたが、壁の埃を払う際にいちいち取り外す必要があり、煩わしくかつ面倒であった。
【０００６】
また、破魔矢、絵馬を見栄えよく飾るための飾り台を別途用意して、壁に引っ掛けなくても済むようにした（特許文献１）。
【０００７】
【特許文献１】特開２００４−０４９３２８号公報
【考案の開示】
【考案が解決しようとする課題】
【０００８】
しかしながら、特許文献１の考案は、破魔矢、絵馬を、直接飾り台に載せて飾るため、長い期間飾る間に埃で汚れたり、広い飾り場所が必要になる等の不具合があった。
【０００９】
本考案の目的は、透明樹脂製のひし形形状の立体物の中に絵馬形状のレリーフが封じ込められた本体とこの本体を立設して載置させる台座とをセットにして構成することにより長期保存に適した記念用飾り置物を提供することである。
【課題を解決するための手段】
【００１０】
上記目的を達成するため、請求項１の記念用飾り置物は、神社に参拝する際に購入する記念用飾り置物であって、透明樹脂製のひし形形状の立体物の中に図柄が施された絵馬形状のレリーフが封じ込められた本体と、この本体を立設して載置させる台座とをセットにして構成するものである。
【００１１】
また、請求項２の記念用飾り置物は、請求項１に記載の記念用飾り置物であって、台座は、底面が正方形からなる略台形型で、その上面の中央に本体の下端が挿入されて本体を載置させるための窪みを形成したものである。
【００１２】
また、請求項３の記念用飾り置物は、請求項２に記載の記念用飾り置物であって、本体は、各辺が等辺からなる正方形のひし形形状で、台座の上面と略同じ大きさであるものである。
【考案の効果】
【００１３】
請求項１記載の記念用飾り置物によれば、透明樹脂製のひし形形状の立体物の中に図柄が施された絵馬形状のレリーフが封じ込められた本体と、この本体を立設して載置させる台座とをセットにして構成することにより埃で汚れてもひとふきで埃を拭きとることができ長期保存に適している。
【００１４】
また、請求項２記載の記念用飾り置物によれば、台座は、底面が正方形からなる略台形型で、その上面の中央に本体の下端が挿入されて本体を載置させるための窪みを形成したことにより本体を簡単に台座にセットしたり、取り外したりすることができる。
【００１５】
また、請求項３記載の記念用飾り置物によれば、本体は、各辺が等辺からなる正方形のひし形形状で、台座の上面と略同じ大きさとしたことによりコンパクトに梱包できるとともに、広い飾り場所を必要としない。
【考案を実施するための最良の形態】
【００１６】
本考案の実施の形態を、添付図面に示した本考案の実施例に基づいて以下に具体的に説明する。
【実施例】
【００１７】
図１は、本考案による記念用飾り置物を構成する本体の一実施例を示し、（ａ）は正面図、（ｂ）は側面図である。図２は、記念用飾り置物を構成する台座の斜視図である。図３は、本考案による記念用飾り置物の本体を台座にセットした斜視図である。
【００１８】
記念用飾り置物１は、本体２と台座３とがセットになって構成されている。本体２は、図１（ａ）、（ｂ）に示すように、１辺が５５ｍｍの等辺からなる正方形で、厚みが２０ｍｍの透明樹脂製のひし形形状の立体物の中に御木曳き車の図柄４が施された絵馬形状のレリーフ５が封じ込められている。
【００１９】
樹脂の一例としては、常温で硬化する様に調整した不飽和ポリエステル樹脂をはじめエボキシ樹脂などが好適である。
【００２０】
一方、台座３は、図２に示すように、底面６が１辺６０ｍｍ、上面７が１辺５５ｍｍの等辺からなる正方形で、高さが１５ｍｍの略台形型で、その上面７の中央に本体２の下端２１に応じた窪み８が形成されている。
【００２１】
なお、本体２は、台座３の上面７と略同じ大きさで、両者とも１辺が５５ｍｍの等辺からなる正方形の形状をしている。
【００２２】
本考案による記念用飾り置物１は、神宮式年遷宮の記念行事で神社に参拝する際に記念品として購入するもので、透明樹脂製のひし形形状の立体物の中に御木曳き車の図柄４が施された絵馬形状のレリーフ５が封じ込められた本体２と、この本体２を立設して載置させる台座３とをセットにして構成する。したがって埃で汚れてもひとふきで埃を拭きとることができ長期保存に適している。
【００２３】
また、自宅に持ち帰って記念用飾り置物として飾るには、図３に示すように、台座３の上面７に形成された窪み８に本体２の下端２１を挿入して本体２を立設して載置するだけであるので、本体２と台座３は、簡単にセットしたり、取り外したりすることができる。
【００２４】
さらにまた、本体２は、各辺が等辺からなる正方形のひし形形状で、台座３の上面７と略同じ大きさとしたことによりコンパクトに梱包できるとともに、台座３の底面６に相当する６０ｍｍ四方のスペースがあれば何処にでも飾ることができ、特別に広い飾り場所を必要としない。
【００２５】
なお、本考案による記念用飾り置物１は、神宮式年遷宮に限らず、初詣や遷宮百年記念等の記念行事で神社に参拝する際に購入される記念品としても好適である。
【００２６】
その場合、図柄４としては、初詣や記念行事に応じて、干支、稲荷用キツネ、縁起物の動物等の図柄が施される。
【図面の簡単な説明】
【００２７】
【図１】記念用飾り置物を構成する本体の一実施例を示す図で、（ａ）は正面図、（ｂ）は側面図である。
【図２】記念用飾り置物を構成する台座の斜視図である。
【図３】記念用飾り置物の本体を台座にセットした斜視図である。
【符号の説明】
【００２８】
１    記念用飾り置物
２    本体
３    台座
４    図柄
５    レリーフ
６    底面
７    上面
８    窪み
【図１】
0003127001.tif 000003
【図２】
0003127001.tif 000004
【図３】
0003127001.tif 000005